(57)【要約】【課題】電子チラシを用いて買い物リストを簡易に作成することができ、かつ、買い物リストを作成する際の通信負荷を抑制可能な買い物リスト作成支援システムを提供する。【解決手段】買い物リスト作成支援システム１では、サーバ装置１０から配信される電子チラシが消費者端末２０で閲覧表示される。そして、消費者端末２０において消費者が電子チラシから任意の商品を選択すると、サーバ装置１０では当該商品に対応する商品情報５３０が買い物リストで管理される。さらに、消費者端末２０において消費者が任意の携帯端末４０の送信先アドレスを指定すると、サーバ装置１０では消費者が指定した携帯端末４０に買い物リストが転送される。【選択図】図１
2008152587.tif 000002
【特許請求の範囲】
【請求項１】
ネットワークを介してサーバ装置と端末装置とが相互に通信可能に構成され、少なくとも紙媒体に複数の商品に関する情報が印刷されたチラシ広告と酷似した画像データを有する電子チラシを用いて、携帯端末に出力される買い物リストを作成するための電子チラシを用いた買い物リスト作成支援システムであって、
前記サーバ装置は、
複数の商品を一意に識別するための商品識別情報が商品画像に対応付けられた前記電子チラシを、少なくとも一以上記憶する電子チラシ記憶手段と、
前記電子チラシ記憶手段に記憶される電子チラシを前記端末装置に配信する電子チラシ配信手段と、
複数の商品の各々について、少なくとも商品名、価格および販売店舗名が前記商品識別情報に対応付けられた商品情報を記憶する商品情報記憶手段と、
前記端末装置からの要求に応じて、当該端末装置から受信した前記商品識別情報に対応する前記商品情報を、前記商品情報記憶手段から検索する商品情報検索手段と、
前記商品情報検索手段により検索された前記商品情報を、当該商品情報が一覧で示される買い物リストで管理する買い物リスト管理手段と、
を備え、
前記端末装置は、
前記サーバ装置から配信された前記電子チラシを受信して閲覧表示する電子チラシ閲覧手段と、
前記電子チラシ閲覧手段により閲覧表示される前記電子チラシに表された前記商品画像の選択を受け付ける商品選択受付手段と、
前記商品選択受付手段により受け付けられた前記商品画像に対応する前記商品識別情報を前記サーバ装置に送信するとともに、当該商品識別情報に対応する前記商品情報を前記買い物リストで管理することを要求する買い物リスト管理要求手段と、
前記携帯端末の送信先アドレスの入力を促すアドレス入力用画面に入力された送信先アドレスを前記サーバ装置に通知して、当該送信先アドレスに宛てて前記買い物リストを転送することを要求する買い物リスト転送要求手段と、
を備えており、
さらに、前記サーバ装置は、
前記端末装置からの要求に応じて、前記買い物リスト管理手段により管理される前記買い物リストを含む電子メールを、当該端末装置から通知された前記送信先アドレスに宛てて転送する買い物リスト転送手段、を備えたことを特徴とする電子チラシを用いた買い物リスト作成支援システム。
【請求項２】
前記商品情報は、少なくとも有効期間を含んでおり、
前記商品情報記憶手段には、前記商品識別情報に対応して前記有効期間がそれぞれ異なる過去の前記商品情報が複数記憶されており、
前記端末装置は、
前記商品選択受付手段により受け付けられた前記商品画像に対応する前記商品識別情報を送信するとともに、当該商品識別情報に対応する商品の価格推移情報を要求する価格推移情報要求手段、を備え、
前記電子チラシ閲覧手段は、前記サーバ装置から提供された前記価格推移情報に基づいて、商品の価格変化を時系列で示す画像を表示するものであって、
前記サーバ装置は、
前記端末装置からの要求に応じて、当該端末装置から受信した前記商品識別情報に対応する過去の複数の前記商品情報を検索し、当該商品情報の有効期間および価格に基づいて前記価格推移情報を作成するとともに、当該価格推移情報を前記端末装置に提供する価格推移情報提供手段、を備えたことを特徴とする請求項１に記載の電子チラシを用いた買い物リスト作成支援システム。
【請求項３】
前記商品情報は、少なくとも検索用文字を示すメタタグを含んでおり、
前記端末装置は、
前記商品選択受付手段により受け付けられた前記商品画像に対応する前記商品識別情報を送信するとともに、当該商品識別情報に対応する商品についての関連商品情報を要求する関連商品情報要求手段、を備え、
前記電子チラシ閲覧手段は、前記サーバ装置から提供された前記関連商品情報に基づいて、複数の関連商品についての前記商品情報を一覧として表示するものであって、
前記サーバ装置は、
前記端末装置からの要求に応じて、当該端末装置から受信した前記商品識別情報に対応する前記商品情報に含まれるメタタグに基づいて検索を行い、当該メタタグが一致する前記商品情報を前記関連商品情報として前記端末装置に提供する関連商品情報提供手段、を備えたことを特徴とする請求項１または２に記載の電子チラシを用いた買い物リスト作成支援システム。
【発明の詳細な説明】
【技術分野】
【０００１】
本発明は、電子チラシを用いた買い物リスト作成支援システムに関し、詳細には、店舗にて買い物を行う消費者が携帯端末で参照可能な買い物リストを作成するものに関する。
【背景技術】
【０００２】
従来より、消費者はあらかじめ購入するものを記載した買い物リストを作成しておき、この買い物リストを参照しながら店舗で買い物することがある。このような買い物リストに、例えば、調理や洗濯などの家事をするのに不足している材料や物品を記載したり、折り込みチラシやテレビＣＭを参照して購入したいと考えた商品を記載しておくことで、買い忘れを防止するとともに必要なもののみを効率的に購入することができる。
【０００３】
また、従来より、紙媒体に複数の商品に関する広告が印刷されたチラシ広告と酷似した画像を表示するための電子チラシが知られている。この電子チラシを定期的にまたは消費者からの要求に応じて管理装置から配信し、消費者がパソコンなどでこの配信された電子チラシを参照することによって、チラシ広告のペーパーレス化を実現することができる。
【０００４】
さらに、上記のような電子チラシを利用して買い物リストを作成するための買い物支援システムが知られている（例えば、特許文献１参照）。この買い物支援システムは、配信された電子チラシをユーザに提示するとともに、電子チラシから買い物リストに加える商品をユーザが選択すると選択されて買い物リストの提示が要求されると、選択された商品から１つの買い物リストを作成してユーザに提示する。さらに、この買い物リストを店舗毎の買い物リストに分割してユーザの携帯端末に送信するものである。
【特許文献１】特開２００６−２３６０１４号公報
【発明の開示】
【発明が解決しようとする課題】
【０００５】
しかしながら、特許文献１に記載の発明では、ユーザの家庭内に設けられた買い物リストＰ Ｃ（すなわち、消費者端末） で買い物リストを作成している。そして、消費者端末側 で買い物リストを作成するためには、配信される電子チラシがあらかじめ商品情報（店舗名や価格など）を有している必要があった。そのため、必然的に電子チラシのデータ量が大きくなり、管理装置と消費者端末との間の通信負荷が大きくなるという問題があった。
【０００６】
さらに、特許文献１に記載の発明では、買い物リストに登録された特定の商品についての価格動向を知りたい場合やその関連商品を調べたいといった消費者の高度な情報要求に対応することができなかった。
【０００７】
本発明は、上記問題点に鑑みてなされたものであって、電子チラシを用いて買い物リストを簡易に作成することができ、かつ、買い物リストを作成する際の通信負荷を抑制することができるとともに、買い物リストに登録された商品に関する消費者の高度な情報要求に対応可能な電子チラシを用いた買い物リスト作成支援システムを提供することを主たる目的とする。
【課題を解決するための手段】
【０００８】
本発明において、以下の特徴は単独で、若しくは、適宜組合わされて備えられている。前記課題を解決するための本発明に係る電子チラシを用いた買い物リスト作成支援システムは、ネットワークを介してサーバ装置と端末装置とが相互に通信可能に構成され、少なくとも紙媒体に複数の商品に関する情報が印刷されたチラシ広告と酷似した画像データを有する電子チラシを用いて、携帯端末に出力される買い物リストを作成するための電子チラシを用いた買い物リスト作成支援システムであって、前記サーバ装置は、複数の商品を一意に識別するための商品識別情報が商品画像に対応付けられた前記電子チラシを、少なくとも一以上記憶する電子チラシ記憶手段と、前記電子チラシ記憶手段に記憶される電子チラシを前記端末装置に配信する電子チラシ配信手段と、複数の商品の各々について、少なくとも商品名、価格および販売店舗名が前記商品識別情報に対応付けられた商品情報を記憶する商品情報記憶手段と、前記端末装置からの要求に応じて、当該端末装置から受信した前記商品識別情報に対応する前記商品情報を、前記商品情報記憶手段から検索する商品情報検索手段と、前記商品情報検索手段により検索された前記商品情報を、当該商品情報が一覧で示される買い物リストで管理する買い物リスト管理手段と、を備え、前記端末装置は、前記サーバ装置から配信された前記電子チラシを受信して閲覧表示する電子チラシ閲覧手段と、前記電子チラシ閲覧手段により閲覧表示される前記電子チラシに表された前記商品画像の選択を受け付ける商品選択受付手段と、前記商品選択受付手段により受け付けられた前記商品画像に対応する前記商品識別情報を前記サーバ装置に送信するとともに、当該商品識別情報に対応する前記商品情報を前記買い物リストで管理することを要求する買い物リスト管理要求手段と、前記携帯端末の送信先アドレスの入力を促すアドレス入力用画面に入力された送信先アドレスを前記サーバ装置に通知して、当該送信先アドレスに宛てて前記買い物リストを転送することを要求する買い物リスト転送要求手段と、を備えており、さらに、前記サーバ装置は、前記端末装置からの要求に応じて、前記買い物リスト管理手段により管理される前記買い物リストを含む電子メールを、当該端末装置から通知された前記送信先アドレスに宛てて転送する買い物リスト転送手段、を備えたことを特徴とする。
【０００９】
上記構成によれば、ネットワークを介してサーバ装置と端末装置とが相互に通信可能に構成され、電子チラシを用いて携帯端末に出力される買い物リストを作成するための電子チラシを用いた買い物リスト作成支援システムであって、サーバ装置で電子チラシが端末装置に配信される一方、端末装置で電子チラシが閲覧表示される。そして、サーバ装置では、端末装置からの要求に応じて、当該端末装置から受信した商品識別情報に対応する商品情報が検索されるとともに、当該検索された商品情報が買い物リストで管理される。一方、端末装置では、電子チラシに表された商品画像の選択が受け付けられると、当該商品画像に対応する商品識別情報がサーバ装置に送信されるとともに、当該商品識別情報に対応する商品情報を買い物リストで管理することがサーバ装置に対して要求される。また、携帯端末の送信先アドレスの入力を促すアドレス入力用画面に入力された送信先アドレスがサーバ装置に通知され、当該送信先アドレスに宛てて買い物リストを送信することがサーバ装置に対して要求される。さらに、サーバ装置では、端末装置からの要求に応じて、買い物リストを含む電子メールが、端末装置から通知された送信先アドレスに宛てて転送される。
【００１０】
本発明に係る電子チラシを用いた買い物リスト作成支援システムにおいて、前記商品情報は、少なくとも有効期間を含んでおり、前記商品情報記憶手段には、前記商品識別情報に対応して前記有効期間がそれぞれ異なる過去の前記商品情報が複数記憶されており、前記端末装置は、前記商品選択受付手段により受け付けられた前記商品画像に対応する前記商品識別情報を送信するとともに、当該商品識別情報に対応する商品の価格推移情報を要求する価格推移情報要求手段、を備え、前記電子チラシ閲覧手段は、前記サーバ装置から提供された前記価格推移情報に基づいて、商品の価格変化を時系列で示す画像を表示するものであって、前記サーバ装置は、前記端末装置からの要求に応じて、当該端末装置から受信した前記商品識別情報に対応する過去の複数の前記商品情報を検索し、当該商品情報の有効期間および価格に基づいて前記価格推移情報を作成するとともに、当該価格推移情報を前記端末装置に提供する価格推移情報提供手段、を備えることが好ましい。
【００１１】
上記構成によれば、端末装置では、電子チラシに表された商品画像の選択が受け付けられると、当該商品画像に対応する商品識別情報が送信されるとともに、当該商品識別情報に対応する商品の価格推移情報がサーバ装置に対して要求される。一方、サーバ装置では、端末装置からの要求に応じて、当該端末装置から受信した商品識別情報に対応する過去の複数の商品情報が検索され、当該商品情報の有効期間および価格データに基づいて価格推移情報が作成されるとともに、当該価格推移情報が端末装置に提供される。そして、端末装置では、サーバ装置から提供された価格推移情報に基づいて、商品の価格変化を時系列で示す画像が表示される。
【００１２】
本発明に係る電子チラシを用いた買い物リスト作成支援システムにおいて、前記商品情報は、少なくとも検索用文字を示すメタタグを含んでおり、前記端末装置は、前記商品選択受付手段により受け付けられた前記商品画像に対応する前記商品識別情報を送信するとともに、当該商品識別情報に対応する商品についての関連商品情報を要求する関連商品要求手段、を備え、前記電子チラシ閲覧手段は、前記サーバ装置から提供された前記関連商品情報に基づいて、複数の関連商品についての前記商品情報を一覧として表示するものであって、前記サーバ装置は、前記端末装置からの要求に応じて、当該端末装置から受信した前記商品識別情報に対応する前記商品情報に含まれるメタタグに基づいて検索を行い、当該メタタグが一致する前記商品情報を前記関連商品情報として前記端末装置に提供する関連商品情報提供手段、を備えることが好ましい。
【００１３】
上記構成によれば、電子チラシに表された商品画像の選択が受け付けられると、当該商品画像に対応する商品識別情報が送信されるとともに、当該商品識別情報に対応する商品についての関連商品情報がサーバ装置に対して要求される。一方、サーバ装置では、端末装置からの要求に応じて、当該端末装置から受信した商品識別情報に対応する商品情報に含まれるメタタグに基づいて検索が行われ、当該メタタグが一致する商品情報が関連商品情報として端末装置に提供される。そして、端末装置では、サーバ装置から提供された関連商品情報に基づいて、複数の関連商品についての商品情報が一覧として表示される。
【発明の効果】
【００１４】
請求項１に記載の発明によれば、端末装置において消費者が電子チラシから任意の商品を選択すると、サーバ装置では当該商品に対応する商品情報が買い物リストで管理される。さらに、端末装置において消費者が任意の携帯端末の送信先アドレスを指定すると、サーバ装置では消費者が指定した携帯端末に買い物リストが転送される。そのため、消費者は電子チラシを用いて買い物リストを簡易に作成することができ、携帯端末に出力される買い物リストを参照しながら、買い忘れすることなく効率的に買い物をすることができる。また、電子チラシには商品情報が含まれていないのでデータ量が小さく、かつ、端末装置において消費者が電子チラシから任意の商品を選択すると、サーバ装置に対して商品識別情報のみが送信されるため、買い物リストを作成する際の通信負荷を抑制することができる。さらに、サーバ装置で作成された買い物リストは電子メールで携帯端末に送信されるので、携帯端末では機種やキャリアに依存せずに適切に買い物リストを出力することができる。
【００１５】
請求項２に記載の発明によれば、端末装置において消費者が電子チラシから任意の商品を選択して価格推移情報を要求するだけで、サーバ装置において当該商品の価格推移情報が作成され、端末装置では当該価格推移情報に基づいて商品の価格変化を時系列で示す画像が表示される。そのため、電子チラシに掲載された商品の価格推移情報を得たいという消費者の高度な要求に対応することができるとともに、消費者は商品の価格推移情報を参照することで最適な購買行動を決定することができる。
【００１６】
請求項３に記載の発明によれば、端末装置において消費者が電子チラシから任意の商品を選択して関連商品情報を要求するだけで、サーバ装置において当該商品の関連商品情報が作成され、端末装置では当該関連商品情報に基づいて複数の関連商品についての商品情報が一覧として表示される。そのため、電子チラシに掲載された商品の関連商品情報を得たいという消費者の高度な要求に対応することができるとともに、消費者は商品の関連商品情報を参照することで最適な購買行動を決定することができる。
【発明を実施するための最良の形態】
【００１７】
以下、本発明に係る電子チラシを用いた買い物リスト作成支援システムを実施するための最良の形態について、各図を参照しつつ説明する。まず、本実施形態に係る買い物リスト作成支援システム１の概略について、図１を参照して説明する。図１は、本発明に係る買い物リスト作成支援システムの全体概念図である。
【００１８】
図１に示すように、買い物リスト作成支援システム１は、インターネット２上に設けられた各種のデータベースを備えたサーバ装置１０と、インターネット２に接続された消費者の端末装置である消費者端末２０と、インターネット２に接続された広告提供者（販売者）の販売者端末３０と、インターネット２に接続可能な消費者の携帯端末４０とからなっている。図示しないが、消費者端末２０、販売者端末３０や携帯端末４０は多数がインターネット２に接続されている。
【００１９】
なお、本実施形態では、サーバ装置１０は、ＣＰＵ，ＲＯＭ、ＲＡＭ，外部記憶装置（ＨＤＤなど），各種入出力装置などを備えて、消費者端末２０および販売者端末３０に各種ファイルやデータを提供する管理サーバである。一方、消費者端末２０および販売者端末３０は、サーバ装置１０に問い合わせて各種ファイルやデータを要求するクライアント端末であり、ＣＰＵ，ＲＯＭ、ＲＡＭ，ディスプレイ，キーボードなどを有する汎用のパーソナルコンピュータ（ＰＣ）と同一構成をなす。また、携帯端末４０は、少なくともインターネット２を介して電子メールを送受信可能な小型の端末装置であるが、ここでは消費者端末２０を使用する消費者と同一人物が保有する携帯電話とする。
【００２０】
ここで、本実施形態の買い物リスト作成支援システム１の概略を説明すると、まず電子チラシの配信を希望する販売者は、販売者端末３０を用いてサーバ装置１０にアクセスする。サーバ装置１０には、紙媒体のチラシ広告と酷似した画像データを有する電子チラシがあらかじめ記憶されているところ、販売者は当該電子チラシに掲載される商品に関する商品情報をサーバ装置１０に登録しておく。一方、電子チラシを参照したい消費者が、消費者端末２０を用いてサーバ装置１０にアクセスして電子チラシの問い合わせを行うと、サーバ装置１０から電子チラシが配信されて消費者端末２０に閲覧表示される。そして、消費者が消費者端末２０に閲覧表示された電子チラシを参照しつつ所望の商品を選択すると、サーバ装置１０では選択された商品に関する商品情報が買い物リストに登録および管理される。さらに、消費者が消費者端末２０から自らの携帯端末４０の送信先アドレスを指定して買い物リストの転送を指示すると、サーバ装置１０では指定された送信先アドレスに宛てて買い物リストが電子メールで転送される。すると、携帯端末４０ではサーバ装置１０から受信した電子メールに基づいて買い物リストが表示されるため、消費者は携帯端末４０に表示された買い物リストを参照しながら販売者の店舗で買い物を行う。
【００２１】
次に、本実施形態の買い物リスト作成支援システム１を構成するサーバ装置１０を中心とした機能的構成を、図２を参照して説明する。図２は、サーバ装置の電気的構成を示す機能ブロック図である。
【００２２】
図２に示すように、サーバ装置１０は、通信処理部１１、会員情報管理部１２、電子チラシ管理部１３、商品情報登録処理部１４、商品情報検索部１５、買い物リスト管理部１６、買い物リスト記憶部１７、アクセス管理部１８、会員情報ＤＢ５１、電子チラシＤＢ５２、商品情報ＤＢ５３およびアクセス履歴ＤＢ５４から機能的に構成されている。なお、上記機能的構成は、サーバ装置１０が有するＣＰＵ，ＲＯＭ，ＲＡＭ，ＨＤＤなどの物理的構成により実現され、ＲＯＭには後述する本実施形態に係る処理を実現するためのコンピュータプログラムがあらかじめ記憶されている。
【００２３】
まず、通信処理部１１は、インターネット２を介して、消費者端末２０、販売者端末３０および携帯端末４０との間で各種ファイルやデータの送受信を行う。会員情報管理部１２は、会員情報ＤＢ５１に記憶された会員情報を管理する。電子チラシ管理部１３は、電子チラシＤＢ５２に記憶された電子チラシを管理する。商品情報登録処理部１４は、販売者端末３０からの要求に応じて、電子チラシに掲載された商品の商品情報を商品情報ＤＢ５３に登録する。商品情報検索部１５は、消費者端末２０からの要求に応じて、電子チラシに掲載された商品のうちで消費者により指定されたものの商品情報を商品情報ＤＢ５３から検索する。買い物リスト管理部１６は、買い物リスト１００に登録された商品情報を管理する。買い物リスト記憶部１７は、消費者により選択された商品に関する商品情報を一覧として管理する買い物リスト１００を記憶する記憶領域である。アクセス管理部１８は、アクセス履歴ＤＢ５４に記憶されたアクセス履歴を管理する。
【００２４】
また、会員情報ＤＢ５１は、消費者端末２０を使用する消費者または販売者端末３０を使用する販売者に関する会員情報を複数記憶する記憶領域である。電子チラシＤＢ５２は、消費者端末２０に提供される電子チラシを複数記憶する記憶領域である。商品情報ＤＢ５３は、電子チラシに掲載された商品に関する商品情報を複数記憶する記憶領域である。アクセス履歴ＤＢ５４は、消費者端末２０の消費者による電子チラシや商品情報等へのアクセス履歴を複数記憶する記憶領域である。
【００２５】
ここで、図３〜図６を参照して、サーバ装置１０が備える各データベース（ＤＢ）のデータ構成とともに、上記機能的構成の詳細を説明する。図３は、会員情報ＤＢのデータ構成を示す図である。図４は、電子チラシＤＢのデータ構成を示す図である。図５は、商品情報ＤＢのデータ構成を示す図である。図６は、アクセス履歴ＤＢのデータ構成を示す図である。
【００２６】
図３に示すように、会員情報ＤＢ５１には、会員を特定するための識別用の会員ＩＤ５１１、会員が属する地域を示すエリアコード５１２、会員の郵便番号５１３、会員の住所５１４、会員の生年月日５１５、会員が使用する端末装置の受信メールアドレス５１６、および、会員認証を行うためのパスワード５１７、をデータ項目として有する会員情報５１０が複数記憶されている。各会員情報５１０は、１会員につき１レコードが設けられている。
【００２７】
図３では、会員ＩＤ５１１が「Ａ・・・」である会員情報５１０は消費者端末２０を使用する消費者用のレコードであり、会員ＩＤ５１１が「Ｂ・・・」である会員情報５１０は販売者端末３０を使用する販売者用のレコードであるものとして区別されている。なお、この会員情報ＤＢ５１では、消費者用のレコードと販売者用のレコードとを同一記憶領域で会員情報５１０を一括管理しているが、消費者用レコードと販売者用レコードとを区別して異なる記憶領域に管理するようにしてもよい。
【００２８】
また、本実施形態では、会員情報ＤＢ５１に登録された会員のみが、サーバ装置１０が実行する電子チラシ配信機能や買い物リスト作成機能などを利用することができる。そのため、会員情報管理部１２は、外部端末を用いて新規のユーザがサーバ装置１０にアクセスして会員登録を要求した場合は、当該ユーザについての会員登録処理を行う。すなわち、新規のユーザに対して会員情報５１０を入力させる入会処理を行い、当該入力された会員情報５１０を１レコードとして会員情報ＤＢ５１に記録する。そして、会員情報管理部１２は、消費者端末２０または販売者端末３０からのアクセスがあると、当該端末から入力されたパスワードに基づいて会員情報ＤＢ５１を検索して会員認証を行う。その結果、当該パスワードが会員情報５１０に設定されたパスワード５１７と一致すれば、サーバ装置１０による各種機能の提供を許可する。
【００２９】
図４に示すように、電子チラシＤＢ５２には、電子チラシを特定するための識別用の電子チラシＩＤ５２１、電子チラシを配信する日を示す配信日５２２、電子チラシの提供者である会員（すなわち、販売者）を特定するための識別用の会員ＩＤ５２３、電子チラシの提供者の名称を示す店舗名５２４、および、紙媒体のチラシ広告と酷似した画像を端末装置に表示させるチラシ画像データ５２５、をデータ項目として有する電子チラシ５２０が複数記憶されている。各電子チラシ５２０は、紙媒体のチラシ広告１枚につき１レコードが設けられている。
【００３０】
本実施形態では、消費者端末２０からサーバ装置１０に電子チラシの配信要求があると、電子チラシ管理部１３がそのアクセス日と一致する配信日５２２を有する電子チラシ５２０を電子チラシＤＢ５２から検索し、通信処理部１１を介して当該検索された電子チラシ５２０を要求元の消費者端末２０に配信する。要求元の消費者端末２０では、配信を受けた電子チラシ５２０のチラシ画像データ５２５に基づいて、紙媒体のチラシ広告と酷似した態様で複数の商品画像が閲覧表示される。なお、このチラシ画像データ５２５では、複数の商品画像の各々に商品を特定するための識別用の商品ＩＤがリンクとして対応付けられている。
【００３１】
図５に示すように、商品情報ＤＢ５３には、商品を特定するための識別用の商品ＩＤ５３１、商品の名称を示す商品名５３２、関連商品情報を検索するための検索用文字（メタタグ）５３３、商品の提供者の名称を示す店舗名５３４、商品情報の有効期間を示す有効期間５３５、商品の販売単位を示す販売規格５３６、商品の価格５３７、および、その他商品に関する情報を示す備考５３８、をデータ項目として有する商品情報５３０が複数記憶されている。各商品情報５３０は、電子チラシ５２０に掲載された１商品につき１レコードが設けられている。
【００３２】
図５では、商品ＩＤ５３１が「ＸＹＺ・・・」である商品情報５３０は、同一の電子チラシ５２０に掲載された商品であることを示している。なお、この商品情報ＤＢ５３では、いずれの電子チラシ５２０に掲載された商品に関する商品情報５３０であっても同一記憶領域で一括管理しているが、商品が掲載されている電子チラシ５２０ごとに商品情報５３０を区別して異なる記憶領域に管理するようにしてもよい。
【００３３】
また、検索用文字（メタタグ）５３３には、具体的または固有の商品名称である商品名５３２に対して、当該商品の上位概念やジャンルあるいは総括名称などが設定される。ここでは、１つの商品情報５３０に対して検索用文字（メタタグ）５３３が１つだけ設定されているが、１つの商品情報５３０に対して検索用文字（メタタグ）５３３を複数設定してもよい。
【００３４】
さらに、商品情報ＤＢ５３には、各商品情報５３０に固有の有効期間５３５が定められており、当該有効期間５３５に設定された期間のみ商品情報５３０の内容が有効であることを示す。ただし、本実施形態の商品情報ＤＢ５３は、有効期間５３５を経過した商品情報５３０を削除せずに履歴情報としてそのまま記憶している。そのため、商品ＩＤ５３１などをキーとして検索した場合には、有効期間５３５が異なる複数の商品情報５３０が取得されることがあるが、この場合は現在日時が有効期間５３５の範囲となる商品情報５３０を用いることとする。なお、有効期間５３５が経過した過去の商品情報５３０は、後述する価格推移情報の作成に用いられる。
【００３５】
また、本実施形態では、販売者端末３０からサーバ装置１０に対して、電子チラシ５２０に掲載された商品に関する商品情報の登録要求があると、商品情報登録処理部１４が商品情報ＤＢ５３に当該商品情報５３０を登録する。また、販売者端末３０から登録済みの商品情報の編集（修正や削除など）が要求された場合も、商品情報登録処理部１４が商品情報ＤＢ５３に登録済みの商品情報５３０を要求に応じて編集する。
【００３６】
また、消費者端末２０から商品情報の参照要求がサーバ装置１０に送信されると、商品情報検索部１５が要求対象の商品ＩＤと一致する商品ＩＤ５３１を有する商品情報５３０を検索して、要求元の消費者端末２０に対して当該検索された商品情報５３０を提供する。なお、消費者端末２０からサーバ装置１０に対して、後述する価格推移情報や関連商品情報の検索という付加的機能が要求された場合も、商品情報検索部１５が商品情報ＤＢ５３を検索して価格推移情報や関連商品情報を作成する。
【００３７】
また、消費者端末２０から買い物リストへの登録要求がサーバ装置１０に送信されると、買い物リスト管理部１６が商品情報検索部１５により検索された商品情報５３０を、買い物リスト記憶部１７に記憶された買い物リスト１００に登録する。さらに、携帯端末４０への買い物リスト１００の転送要求があると、買い物リスト管理部１６が買い物リスト１００を所定記憶領域から読み出して、通信処理部１１を介して指定された送信先アドレスに宛てて当該買い物リスト１００を電子メールで送信する。
【００３８】
図６に示すように、アクセス履歴ＤＢ５４は、商品情報ＤＢ５３に記憶された商品情報５３０に対するアクセス履歴を示す商品アクセス履歴テーブル５４ａと、電子チラシＤＢ５２に記憶された電子チラシ５２０に対するアクセス履歴を示すチラシアクセス履歴テーブル５４ｂとを有している。
【００３９】
詳細には、図６（ａ）に示すように、商品アクセス履歴テーブル５４ａには、商品情報５３０を特定するための識別用の商品ＩＤ５４１ａ、消費者端末２０に表示された電子チラシ５２０において当該商品情報５３０に対応する商品が選択された回数を示す商品クリック数５４２ａ、および、当該商品情報５３０が登録された買い物リスト１００が携帯端末４０に送信された回数を示すリスト送信数５４３ａ、をデータ項目として有する商品アクセス履歴情報５４０ａが複数記憶されている。各商品アクセス履歴情報５４０ａは、電子チラシ５２０に掲載された１商品（１商品情報５３０）につき１レコードが設けられている。
【００４０】
本実施形態では、消費者端末２０から商品情報５３０の参照要求がサーバ装置１０に送信されると、アクセス管理部１８は、商品アクセス履歴テーブル５４ａから要求対象の商品ＩＤ５２１と一致する商品ＩＤ５４１ａを有する商品アクセス履歴情報５４０ａを検索して、商品クリック数５４２ａを１加算する。また、買い物リスト管理部１６により買い物リスト１００が携帯端末４０に送信されると、アクセス管理部１８は、商品アクセス履歴テーブル５４ａから当該買い物リスト１００に登録された商品情報５３０が有する商品ＩＤ５３１と商品ＩＤ５４１ａが一致する商品アクセス履歴情報５４０ａを検索して、そのリスト送信数５４３ａを１加算する。
【００４１】
また、図６（ｂ）に示すように、チラシアクセス履歴テーブル５４ｂには、電子チラシを特定するための識別用のチラシＩＤ５４１ｂ、電子チラシ５２０へのアクセス回数（閲覧回数）を示すアクセス数５４２ｂ、電子チラシ５２０へのアクセス時間（閲覧時間）を示す滞在時間５４３ｂ、をデータ項目として有するチラシアクセス履歴情報５４０ｂが複数記憶されている。各チラシアクセス履歴情報５４０ｂは、１つの電子チラシ５２０に対して１レコードが設けられている。
【００４２】
本実施形態では、消費者端末２０から要求に応じてサーバ装置１０から配信された電子チラシ５２０が消費者端末２０で閲覧表示されると、アクセス管理部１８は、チラシアクセス履歴テーブル５４ｂから当該電子チラシ５２０のチラシＩＤ５２１とチラシＩＤ５４１ｂが一致するチラシアクセス履歴情報５４０ｂを検索して、そのアクセス数５４２ｂを１加算する。また、消費者端末２０による電子チラシ５２０の閲覧表示が終了すると（すなわち、消費者端末２０に対する電子チラシ５２０の配信状態が終了すると）、アクセス管理部１８は、チラシアクセス履歴テーブル５４ｂから当該電子チラシ５２０のチラシＩＤ５２１とチラシＩＤ５４１ｂが一致するチラシアクセス履歴情報５４０ｂを検索して、その滞在時間５４３ｂを当該電子チラシ５２０の閲覧時間（配信時間）に応じて加算する。
【００４３】
以下では、上記説明した買い物リスト作成支援システム１において実行される処理について、図７〜図１４を参照して説明する。図７は、買い物リスト作成支援システムにおいて実行される処理を示すフローチャートである。図８は、電子チラシを含むブック形式ファイルの一具体例を示す図である。図９は、商品詳細画面の一具体例を示す図である。図１０は、登録確認画面の一具体例を示す図である。図１１は、買い物リスト画面の一具体例を示す図である。図１２は、携帯端末転送用画面の一具体例を示す図である。図１３は、転送確認画面の一具体例を示す図である。図１４は、メール画面の一具体例を示す図である。以下では、サーバ装置１０および消費者端末２０において実行される処理を対比しつつ、本発明に係る処理を中心に説明する。また、以下に説明する処理は、サーバ装置１０のＣＰＵおよび消費者端末２０のＣＰＵによって実行されるものである。
【００４４】
図７に示すように、消費者が消費者端末２０を用いてサーバ装置１０にアクセスし、電子チラシ５２０の配信を指示すると、消費者端末２０はサーバ装置１０に電子チラシ５２０の配信要求を送信する（Ｓ５１）。電子チラシ５２０の配信要求を受信したサーバ装置１０は、電子チラシＤＢ５２から配信対象となる電子チラシ５２０を検索し、当該電子チラシ５２０を消費者端末２０に配信する（Ｓ１）。そして、消費者端末２０では、配信された電子チラシ５２０を閲覧表示する（Ｓ５３）。
【００４５】
図８に示すように、消費者端末２０に表示される電子チラシ５２０は、紙媒体に印刷されたチラシ広告と酷似したチラシ画像データ５２５に基づいて画像表示され、１つの電子チラシ５２０には複数の商品が商品画像５５０として掲載されている。なお、先述のように、各商品画像５５０には、当該商品画像５５０に表された商品に対応する商品ＩＤが設定されている。
【００４６】
なお、本実施形態では、消費者端末２０において電子チラシ５２０が見開き可能なブック形式ファイル６００として表示される。そして、消費者が右矢印ボタン６０１をクリックすると、次の電子チラシ５２０に切り替えて表示される一方、消費者が左矢印ボタン６０２をクリックすると、前の電子チラシ５２０に切り替えて表示されるので、複数の電子チラシ５２０を書籍感覚で見開き表示させることができる。
【００４７】
図７に戻り、消費者端末２０は、電子チラシ５２０が閲覧表示された状態で消費者により商品画像５５０が選択されると（Ｓ５５：ＹＥＳ）、当該商品画像５５０に設定されている商品ＩＤを商品情報５３０の参照要求としてサーバ装置１０に送信する（Ｓ５７）。サーバ装置１０は、商品情報５３０の参照要求を受信すると（Ｓ３：ＹＥＳ）、消費者端末２０から受信した商品ＩＤをキーとして商品情報ＤＢ５３を検索し（Ｓ５）、当該商品ＩＤと商品ＩＤ５３１が一致する商品情報５３０を含んだ商品詳細画面６１０を消費者端末２０に送信する（Ｓ７）。そして、消費者端末２０では、サーバ装置１０から受信した商品詳細画面６１０を表示する（Ｓ５９）。
【００４８】
図９に示すように、商品詳細画面６１０には、消費者が選択した商品の詳細として、少なくとも商品情報５３０（ここでは、商品名５３２、店舗名５３４、有効期間５３５、販売規格５３６、価格５３７および備考５３８）が表示される。ただし、商品情報５３０に含まれる検索用文字（メタタグ）５３３は、商品詳細画面６１０のデータファイルに埋め込まれる形式で記述される付加情報であるため、表示されない。また、商品詳細画面６１０には、商品情報５３０を買い物リスト１００に登録要求するための登録要求ボタン６１１と、商品詳細画面６１０を消去してブック形式ファイル６００に戻るためのキャンセルボタン６１２を有している。
【００４９】
図７に戻り、消費者端末２０は、商品詳細画面６１０において消費者により登録要求ボタン６１１が選択されると（Ｓ６１：ＹＥＳ）、商品詳細画面６１０に示される商品情報５３０の買い物リスト１００への登録要求をサーバ装置１０に送信する（Ｓ６３）。サーバ装置１０は、買い物リスト１００への登録要求を受信すると（Ｓ９：ＹＥＳ）、当該商品情報５３０を買い物リスト１００に登録する（Ｓ１１）。これにより、当該商品情報５３０は買い物リスト１００に登録された１レコードとして管理される。そして、サーバ装置１０は買い物リスト１００に商品情報５３０を登録した旨を通知する登録確認画面６２０を消費者端末２０に送信し（Ｓ１３）、消費者端末２０はサーバ装置１０から受信した登録確認画面６２０を表示する（Ｓ６５）。
【００５０】
図１０に示すように、登録確認画面６２０は、買い物リスト１００への登録済みを通知する表示とともに、買い物リスト１００への登録内容の確認を要求するためのリスト確認ボタン６２１と、登録確認画面６２０を消去してブック形式ファイル６００に戻るためのキャンセルボタン６２２と、買い物リスト１００の携帯端末４０への転送を要求する転送要求ボタン６２３とを有している。なお、サーバ装置１０で管理される買い物リスト１００の登録内容は、消費者端末２０での画面切り替え操作に関係なく電子チラシ５２０の閲覧表示が終了するまで保持される。
【００５１】
図７に戻り、消費者端末２０は、登録確認画面６２０において消費者によりリスト確認ボタン６２１が選択されると（Ｓ６７：ＹＥＳ）、買い物リストの確認要求をサーバ装置１０に送信する（Ｓ６９）。サーバ装置１０は、買い物リストへの確認要求を受信すると（Ｓ１５：ＹＥＳ）、買い物リスト１００を読み出すとともに（Ｓ１７）、当該買い物リスト１００を含んだ買い物リスト確認画面６３０を消費者端末２０に送信する（Ｓ１９）。そして、消費者端末２０は、サーバ装置１０から受信した買い物リスト確認画面６３０を表示する（Ｓ７１）。
【００５２】
図１１に示すように、買い物リスト確認画面６３０には、消費者が買い物リスト１００に登録した商品の詳細として、買い物リスト１００に登録された全ての商品情報５３０（ここでは、商品名５３２、店舗名５３４、有効期間５３５、販売規格５３６、価格５３７および備考５３８）が一覧で表示される。また、買い物リスト確認画面６３０は、買い物リスト１００の携帯端末４０への転送を要求する転送要求ボタン６３１と、直前に表示された画面に戻るための戻りボタン６３２と、各商品情報５３０を買い物リスト１００から削除することを要求する削除ボタン６３３とを有している。そして、消費者は買い物リスト画面６３０を参照することで、買い物リスト１００への商品登録状況を適宜把握することが可能である。また、必要に応じて削除ボタン６３３を選択することで、買い物リスト１００から不要な商品情報５３０を削除することもできる。
【００５３】
図７に戻り、消費者端末２０は、登録確認画面６２０や買い物リスト画面６３０において、消費者により転送要求ボタン６２１，６３１が選択されると（Ｓ７３：ＹＥＳ）、買い物リスト１００の転送要求をサーバ装置１０に送信する（Ｓ７５）。サーバ装置１０は買い物リスト１００の転送要求を受信すると（Ｓ２１：ＹＥＳ）、消費者端末２０に携帯端末４０の送信先アドレスを入力させるための携帯端末転送用画面６４０を送信し（Ｓ２３）、消費者端末２０はサーバ装置１０から送信された携帯端末転送用画面６４０を表示する（Ｓ７７）。
【００５４】
図１２に示すように、携帯端末転送用画面６４０には、買い物リスト１００が確認用に再表示されるとともに、携帯端末４０の送信先アドレスを入力するアドレス入力フォーム６４１が表示される。また、携帯端末転送用画面６４０は、買い物リスト１００の携帯端末４０への転送を実行するための転送実行ボタン６４２と、携帯端末転送用画面６４０に表示された内容を印刷するための印刷ボタン６４３と、直前に表示された画面に戻るための戻りボタン６４４とを有している。そして、消費者は携帯端末転送用画面６４０を参照することで、買い物リスト１００の商品登録内容を確認しつつ、アドレス入力フォーム６４１に送信先アドレスを入力することで、買い物リスト１００の転送先として任意の携帯端末４０を指定することができる。また、必要に応じて印刷ボタン６４３を選択することで、消費者端末２０で紙媒体に印刷された買い物リストを作成することもできる。
【００５５】
図７に戻り、消費者端末２０は、消費者により転送実行ボタン６４２が選択されると、アドレス入力フォーム６４１に送信先アドレスが入力済みの携帯端末転送用画面６４０をサーバ装置１０に返信する（Ｓ７９）。サーバ装置１０では、携帯端末４０への買い物リスト転送処理として、買い物リスト１００がボディ部に記述された電子メールを生成し、アドレス入力フォーム６４１に入力された送信先アドレスに宛てて当該電子メールを送信する（Ｓ２５）。そして、サーバ装置１０は買い物リスト１００を送信したことを通知する転送確認画面６５０を消費者端末２０に送信し（Ｓ２７）、消費者端末２０はサーバ装置１０から受信した転送確認画面６５０を表示する（Ｓ８１）。
【００５６】
図１３に示すように、転送確認画面６５０には、携帯端末４０への転送済みを通知する表示とともに、買い物リスト１００が確認用に再表示される。これにより、消費者は、買い物リスト１００が携帯端末４０に転送されたこと、および、当該買い物リスト１００の商品登録内容を確認することができる。
【００５７】
最後に、消費者端末２０は、消費者による電子チラシ５２０の閲覧終了の指示があれば（Ｓ８３：ＹＥＳ）、サーバ装置１０に電子チラシ５２０の閲覧終了を通知する（Ｓ８５）。サーバ装置１０は、電子チラシ５２０の閲覧終了を受信すると（Ｓ２９）、電子チラシ５２０の配信処理を終了する（Ｓ３１）。そして、サーバ装置１０と消費者端末２０との間のネットワーク接続が終了することになる。
【００５８】
以上説明した処理によって、携帯端末４０には買い物リスト１００がボディ部に記述された電子メールが転送される。そして、携帯端末４０では、消費者により当該電子メールが選択されると、図１４に示すようなメール画面６６０が表示される。このメール画面６６０は、サーバ装置１０の送信元アドレスが記述される送信元アドレス部６６１、サーバ装置１０により付与されたタイトルが記述されるタイトル部６６２、および、買い物リスト１００が記述されたボディ部６６３で構成されている。特に、ボディ部６６３には、買い物リスト１００に登録された全ての商品情報５３０が記述されている。そのため、消費者端末２０を用いて買い物リスト１００を作成した消費者は、携帯端末４０を携行してメール画面６６０に表示された買い物リスト１００を適宜参照しながら、各店舗で買い物を行うことができる。
【００５９】
なお、本発明に係る買い物リスト作成支援システム１は、買い物リスト１００を携帯端末４０に転送するのみならず、さらに消費者の高度な情報要求を満たす付加的機能を提供可能である。以下、かかる付加的機能について、図１５〜図１８を参照しつつ具体的に説明する。図１５は、買い物リスト画面の他の表示態様を示す一具体例である。図１６は、同一商品画面の一具体例を示す図である。図１７は、関連商品画面の一具体例を示す図である。図１８は、価格推移画面の一具体例を示す図である。
【００６０】
ただし、付加的機能を提供する場合は、図１１に示す買い物リスト画面６３０に代えて、図１５に示す買い物リスト画面６３０´が表示されるものとする。買い物リスト画面６３０と買い物リスト画面６３０´とは基本的に同一の画面構成を有するが、買い物リスト画面６３０´は各商品情報５３０に関連してより高度な情報検索を行うための付加検索ボタン６３４を有している点で異なる。
【００６１】
ここで、消費者端末２０では、買い物リスト画面６３０´において消費者により付加検索ボタン６３４が選択されると、当該付加検索ボタン６３４に対応する商品情報５３０について同一商品の検索要求がサーバ装置１０に送信される。サーバ装置１０は、同一商品の検索要求を受信すると、当該商品情報５３０の商品名５３２をキーにして商品情報ＤＢ５３を検索する。図１５では、商品名「ぶなしめじ」と同一の商品名５３２を有する商品情報５３０が検索されることになる。
【００６２】
そして、サーバ装置１０は、検索した同一商品の商品情報５３０（同一商品情報１１０）を含む同一商品画面６７０を消費者端末２０に送信し、消費者端末２０はサーバ装置１０から受信した同一商品画面６７０を表示する。図１６に示すように、同一商品画面６７０には、サーバ装置１０で検索された同一商品情報１１０として同一商品の商品情報５３０が一覧として表示される。また、同一商品画面６７０は、同一商品情報１１０を携帯端末４０に転送するための転送要求ボタン６７１と、直前に表示された画面に戻るための戻りボタン６７２と、各商品情報５３０を買い物リスト１００に登録要求するための登録要求ボタン６７３と、を有している。
【００６３】
このように、同一商品画面６７０では、消費者が任意に選択した商品と同一名称の商品の商品情報５３０が一覧で表示される。そのため、消費者は、他の電子チラシに掲載されている同一商品や、他の店舗で販売されている同一商品を比較対照したうえで購買行動を決定して、複数の同一商品のうちで消費者の需要に合ったものを買い物リスト１００に登録することができる。
【００６４】
さらに、同一商品画面６７０では、より高度な付加的機能を実行するために、各商品に関連する商品についての情報（関連商品情報１２０）を要求するための関連商品情報要求ボタン６７４と、各商品情報５３０に示された商品の価格動向を示す情報（価格推移情報１３０）を要求するための価格推移情報要求ボタン６７５とを有している。言い換えれば、関連商品情報要求ボタン６７４は、サーバ装置１０が有する付加的機能としての関連商品情報１２０の提供機能を実行させるためのものであり、価格推移情報要求ボタン６７５は、サーバ装置１０が有する付加的機能としての価格推移情報１３０の提供機能を実行させるためのものである。
【００６５】
まず、関連商品情報１２０の提供機能について説明する。消費者端末２０は、同一商品画面６７０において消費者により関連商品情報要求ボタン６７４が選択されると、買い物リスト画面６３０´で選択された商品情報５３０の検索用文字（メタタグ）５３３が、関連商品情報１２０の検索要求としてサーバ装置１０に送信される。サーバ装置１０は、関連商品情報１２０の検索要求を受信すると、当該検索用文字（メタタグ）５３３をキーにして商品情報ＤＢ５３を検索する。ここでは、「しめじ」と同一の検索用文字（メタタグ）５３３を有する商品情報５３０が検索されたものとする。
【００６６】
そして、サーバ装置１０は、検索した関連商品の商品情報５３０（関連商品情報１２０）を含む関連商品画面６８０を消費者端末２０に送信し、消費者端末２０はサーバ装置１０から受信した関連商品画面６８０を表示する。図１７に示すように、関連商品画面６８０には、サーバ装置１０で検索された関連商品情報１２０として関連商品の商品情報５３０が一覧として表示される。また、関連商品画面６８０は、関連商品情報１２０を携帯端末４０に転送するための転送要求ボタン６８１と、直前に表示された画面に戻るための戻りボタン６８２と、各商品情報５３０を買い物リスト１００に登録要求するための登録要求ボタン６８３と、を有している。
【００６７】
このように、関連商品画面６８０では、消費者が任意に選択した商品と関連を有する商品の商品情報５３０が一覧で表示される。そのため、消費者は、他の電子チラシに掲載されている関連商品や、他の店舗で販売されている関連商品を比較対照したうえで購買行動を決定して、複数の関連商品のうちで消費者の需要に合ったものを買い物リスト１００に登録することができる。特に、関連商品情報１２０は、商品名とは異なり上位概念やジャンルといったより広い範疇で検索されるため、類似あるいは関連する複数の商品の中からより幅広い選択肢で最適な商品を選ぶことができる。
【００６８】
次に、価格推移情報１３０の提供機能について説明する。消費者端末２０では、同一商品画面６７０において消費者により価格推移情報要求ボタン６７５が選択されると、買い物リスト画面６３０´で選択された商品情報５３０の商品ＩＤ５３１が価格推移情報１３０の検索要求としてサーバ装置１０に送信される。サーバ装置１０は、価格推移情報１３０の検索要求を受信すると、当該商品ＩＤ５３１をキーにして商品情報ＤＢ５３を検索し、当該商品についての有効期間５３５を問わずに過去から現在までの全ての商品情報５３０を取得する。ここでは、商品ＩＤ「ＸＹＺ０００１」と同一の商品ＩＤ５３１を有する全ての商品情報５３０が検索されたものとする。
【００６９】
そして、サーバ装置１０は、検索された複数の商品情報５３０に基づいて、それぞれの有効期間５３５を横軸、価格５３７を縦軸とした折れ線グラフをなす価格推移情報１３０を作成する。サーバ装置１０は、この価格推移情報１３０を含む価格推移画面６９０を消費者端末２０に送信し、消費者端末２０はサーバ装置１０から受信した価格推移画面６９０を表示する。図１８に示すように、価格推移画面６９０には、サーバ装置１０で作成された価格推移情報１３０が折れ線グラフとして表示される。また、価格推移画面６９０は、価格推移情報１３０に示される商品の商品情報５３０を携帯端末４０に転送するための転送要求ボタン６９１と、直前に表示された画面に戻るための戻りボタン６９２とを有している。
【００７０】
このように、関連商品画面６９０では、消費者が任意に選択した商品の価格動向を示す価格推移グラフが表示される。一般に商品は市場動向や天候などの各種要因によって価格が変動しやすく、地域や店舗によって価格相場も異なることがあるため、消費者は価格推移グラフを参照して価格動向を把握したうえで購買行動を決定して、消費者の需要に合ったものを買い物リスト１００に登録することができる。
【００７１】
以上、本実施形態に係る買い物リスト作成支援システム１によれば、消費者端末２０において消費者が電子チラシ５２０から任意の商品を選択すると、サーバ装置１０では当該商品に対応する商品情報５３０が買い物リスト１００で管理される。さらに、消費者端末２０において消費者が任意の携帯端末４０の送信先アドレスを指定すると、サーバ装置１０では消費者が指定した携帯端末４０に買い物リスト１００が転送される。そのため、消費者は電子チラシ５２０を用いて買い物リスト１００を簡易に作成することができ、携帯端末４０に出力される買い物リスト１００を参照しながら、買い忘れすることなく効率的に買い物をすることができる。
【００７２】
また、電子チラシ５２０には商品情報５３０が含まれていないのでデータ量が小さく、かつ、消費者端末２０において消費者が電子チラシ５２０から任意の商品を選択すると、サーバ装置１０に対して商品ＩＤのみが送信されるため、買い物リスト１００を作成する際の通信負荷を抑制することができる。さらに、サーバ装置１０で作成された買い物リスト１００は電子メールで携帯端末４０に送信されるので、携帯端末４０では機種やキャリアに依存せずに適切に買い物リスト１００を出力することができる。
【００７３】
また、消費者端末２０において消費者が電子チラシ５２０から任意の商品を選択して価格推移情報１３０を要求するだけで、サーバ装置１０において当該商品の価格推移情報１３０が作成され、消費者端末２０では当該価格推移情報１３０に基づいて商品の価格変化を時系列で示す画像が表示される（価格推移画面６９０）。そのため、電子チラシ５２０に掲載された商品の価格推移情報１３０を得たいという消費者の高度な要求に対応することができるとともに、消費者は商品の価格推移情報１３０を参照することで最適な購買行動を決定することができる。
【００７４】
また、消費者端末２０において消費者が電子チラシ５２０から任意の商品を選択して関連商品情報１２０を要求するだけで、サーバ装置１０において当該商品の関連商品情報１２０が作成され、消費者端末２０では当該関連商品情報１２０に基づいて複数の関連商品についての商品情報が一覧として表示される（関連商品画面６８０）。そのため、電子チラシ５２０に掲載された商品の関連商品情報１２０を得たいという消費者の高度な要求に対応することができるとともに、消費者は商品の関連商品情報１２０を参照することで最適な購買行動を決定することができる。
【００７５】
ところで、上記実施形態において、サーバ装置１０が本発明の「サーバ装置」に相当し、消費者端末２０が本発明の「端末装置」に相当する。そして、サーバ装置１０において、電子チラシＤＢ５２が本発明の「電子チラシ記憶手段」に相当し、Ｓ１を実行するＣＰＵが本発明の「電子チラシ配信手段」に相当し、商品情報ＤＢ５３が本発明の「商品情報記憶手段」に相当し、Ｓ５を実行するＣＰＵが本発明の「商品情報検索手段」に相当し、Ｓ１１，Ｓ１７を実行するＣＰＵが本発明の「買い物リスト管理手段」に相当し、買い物リスト転送手段を実行するＣＰＵが本発明の「買い物リスト転送手段」に相当する。また、消費者端末２０において、Ｓ５３を実行するＣＰＵが本発明の「電子チラシ閲覧手段」に相当し、Ｓ５５を実行するＣＰＵが本発明の「商品選択受付手段」に相当し、Ｓ６９を実行するＣＰＵが本発明の「買い物リスト管理要求手段」に相当し、Ｓ７５を実行するＣＰＵが本発明の「買い物リスト転送要求手段」に相当する。また、消費者端末２０において、関連商品情報１２０の検索要求を行なうＣＰＵが本発明の「関連商品情報要求手段」に相当し、サーバ装置１０において、関連商品情報１２０の提供機能を行なうＣＰＵが本発明の「関連商品情報提供手段」に相当する。また、消費者端末２０において、価格商品情報１３０の検索要求を行なうＣＰＵが本発明の「価格推移情報要求手段」に相当し、サーバ装置１０において、価格推移情報１３０の提供機能を行なうＣＰＵが本発明の「価格推移情報提供手段」に相当する。
【００７６】
なお、本発明は、上記の好ましい実施形態に記載されているが、本発明はそれだけに制限されない。本発明の精神と範囲から逸脱することのない様々な実施形態が可能である。
【００７７】
例えば、商品ＤＢ５３に記憶される複数の商品情報５３０について、各商品情報５３０に示される商品が割引または値引きの対象となるクーポン情報を、当該商品情報５３０に対応付けて記憶しておいてもよい。そして、消費者端末２０において消費者が選択した商品が対象となるクーポン情報が存在する場合は、商品情報５３０と併せてクーポン情報を消費者端末２０に表示させてもよい。さらに、消費者端末２０に表示された当該クーポン情報を、買い物リスト１００とともに携帯端末４０に転送するようにしてもよい。
【００７８】
また、消費者端末２０において消費者が選択した商品が掲載された電子チラシ５２０にクーポン記事が掲載されているときは、当該クーポン記事に対応するクーポン情報を商品情報５３０と併せて消費者端末２０に表示させてもよい。さらに、消費者端末２０に表示された当該クーポン情報を、買い物リスト１００とともに携帯端末４０に転送するようにしてもよい。
【００７９】
また、アクセス履歴ＤＢ５４に記憶された商品アクセス履歴情報５４０ａおよびチラシアクセス履歴情報５４０ｂは、アクセス履歴管理部１７が、販売者端末３０からの要求に応じて（または定期的に）、販売者端末３０に電子メールなどで送信するようにしてもよい。これにより、販売者端末３０を使用する販売者は、電子チラシ５２０の宣伝効果を把握することができ、以降の商品販売に活用することができる。
【００８０】
また、上記実施形態では、消費者端末２０に関連商品情報および価格推移情報を表示させた場合を例示したが、関連商品情報や価格推移情報を買い物リスト１００とともに携帯端末４０に転送するようにしてもよいことは言うまでもない。
【図面の簡単な説明】
【００８１】
【図１】本発明に係る買い物リスト作成支援システムの全体概念図である。。
【図２】サーバ装置の電気的構成を示す機能ブロック図である。
【図３】会員情報ＤＢのデータ構成を示す図である。
【図４】電子チラシＤＢのデータ構成を示す図である。
【図５】商品情報ＤＢのデータ構成を示す図である。
【図６】アクセス履歴ＤＢのデータ構成を示す図である。
【図７】買い物リスト作成支援システムにおいて実行される処理を示すフローチャートである。
【図８】電子チラシを含むブック形式ファイルの一具体例を示す図である。
【図９】商品詳細画面の一具体例を示す図である。
【図１０】登録確認画面の一具体例を示す図である。
【図１１】買い物リスト画面の一具体例を示す図である。
【図１２】携帯端末転送用画面の一具体例を示す図である。
【図１３】転送確認画面の一具体例を示す図である。
【図１４】メール画面の一具体例を示す図である。
【図１５】買い物リスト画面の他の表示態様を示す一具体例である。
【図１６】同一商品画面の一具体例を示す図である。
【図１７】関連商品画面の一具体例を示す図である。
【図１８】価格推移画面の一具体例を示す図である。
【符号の説明】
【００８２】
１  買い物リスト作成支援システム
２  インターネット
１０  サーバ装置
１１  通信処理部
１２  会員情報管理部
１３  電子チラシ管理部
１４  商品情報登録処理部
１５  商品情報検索部
１６  買い物リスト管理部
１７  買い物リスト記憶部
１８  アクセス管理部
２０  消費者端末
３０  販売者端末
４０  携帯端末
５１  会員情報ＤＢ
５２  電子チラシＤＢ
５３  商品情報ＤＢ
５４  アクセス履歴ＤＢ
１００  買い物リスト
１２０  関連商品情報
１３０  価格推移情報
５２０  電子チラシ
５３０  商品情報
【図１】
2008152587.tif 000003
【図２】
2008152587.tif 000004
【図３】
2008152587.tif 000005
【図４】
2008152587.tif 000006
【図５】
2008152587.tif 000007
【図６】
2008152587.tif 000008
【図７】
2008152587.tif 000009
【図８】
2008152587.tif 000010
【図９】
2008152587.tif 000011
【図１０】
2008152587.tif 000012
【図１１】
2008152587.tif 000013
【図１２】
2008152587.tif 000014
【図１３】
2008152587.tif 000015
【図１４】
2008152587.tif 000016
【図１５】
2008152587.tif 000017
【図１６】
2008152587.tif 000018
【図１７】
2008152587.tif 000019
【図１８】
2008152587.tif 000020